(57)【要約】【課題】滑り性および耐久性を良好なものに保持しながら、製造コストの低減化を図ることができる商品通路部材および自動販売機を提供すること。【解決手段】鋼板から成る基材２１と、潤滑性を有し、かつ基材２１の表面を被覆する潤滑皮膜材２３とを備え、商品が通過するための商品通路を構成する商品通路部材２０において、潤滑皮膜材２３は、ウレタン系樹脂、アクリル系樹脂、オレフィン系樹脂およびポリエステル系樹脂の少なくとも１種以上を主成分として形成したものである。【選択図】        図４
2005309825.tif 000002
【特許請求の範囲】
【請求項１】
鋼板から成る基材と、
潤滑性を有し、かつ前記基材の表面を被覆する潤滑皮膜材と
を備え、商品が通過するための商品通路を構成する商品通路部材において、
前記潤滑皮膜材は、ウレタン系樹脂、アクリル系樹脂、オレフィン系樹脂およびポリエステル系樹脂の少なくとも１種以上を主成分として形成したものであることを特徴とする商品通路部材。
【請求項２】
前記潤滑皮膜材は、ポリオレフィン系ワックス、フッ素系ワックス、金属石鹸系ワックスおよび無機系ワックスの少なくとも１種以上を潤滑成分として含有して成ることを特徴とする請求項１に記載の商品通路部材。
【請求項３】
前記潤滑皮膜材は、クロム酸化合物、含硫黄有機化合物および含窒素有機化合物の少なくとも１種以上を防錆成分として含有して成ることを特徴とする請求項１または請求項２に記載の商品通路部材。
【請求項４】
前記基材と前記潤滑皮膜材との間に、クロメート処理層、リン酸塩処理層およびシランカップリング剤処理層の少なくとも１種以上を密着性処理層として形成したことを特徴とする請求項１〜３のいずれか一つに記載の商品通路部材。
【請求項５】
前記基材が亜鉛系めっき鋼板から成るものであり、かつ、潤滑皮膜材の厚みが１μｍ以上１０μｍ以下あることを特徴とする請求項１〜４のいずれか一つに記載の商品通路部材。
【請求項６】
上記請求項１〜５のいずれか一つに記載の商品通路部材を用いて、機内の商品通路の全部、あるいは一部を構成したことを特徴とする自動販売機。
【発明の詳細な説明】
【技術分野】
【０００１】
本発明は、商品通路部材および自動販売機に関し、より詳細には、商品が通過するための商品通路を構成する商品通路部材およびこれを備えた自動販売機に関する。
【背景技術】
【０００２】
従来、自動販売機等において、例えば缶入り飲料、瓶入り飲料およびペットボトル入り飲料等の各種商品が通過するための商品通路は、溶融亜鉛めっき鋼板等の商品通路部材により構成されているのが一般的である。
【０００３】
しかしながら、このような商品通路部材により構成された商品通路では、缶入り飲料の缶容器と、ペットボトル入り飲料のペットボトル容器との材料および形状が異なるため、これら商品との間での表面摩擦係数が変化し、商品投入部や商品シュータで商品が詰まりやすいという不具合がある。
【０００４】
そこで、商品通路部材を構成する鋼板を基材とし、その表面にフッ素樹脂から成る潤滑皮膜材を被覆して、商品の滑りを改善する等の試みがなされている。
【発明の開示】
【発明が解決しようとする課題】
【０００５】
ところが、上記商品通路部材では、フッ素樹脂を潤滑皮膜材としているために高価であり、そのため、コストの増大を招来していた。
【０００６】
本発明は、上記実情に鑑みて、滑り性および耐久性を良好なものに保持しながら、製造コストの低減化を図ることができる商品通路部材および自動販売機を提供することを目的とする。
【課題を解決するための手段】
【０００７】
上記目的を達成するために、本発明の請求項１に係る商品通路部材は、鋼板から成る基材と、潤滑性を有し、かつ前記基材の表面を被覆する潤滑皮膜材とを備え、商品が通過するための商品通路を構成する商品通路部材において、前記潤滑皮膜材は、ウレタン系樹脂、アクリル系樹脂、オレフィン系樹脂およびポリエステル系樹脂の少なくとも１種以上を主成分として形成したものであることを特徴とする。
【０００８】
また、本発明の請求項２に係る商品通路部材は、上記請求項１において、前記潤滑皮膜材は、ポリオレフィン系ワックス、フッ素系ワックス、金属石鹸系ワックスおよび無機系ワックスの少なくとも１種以上を潤滑成分として含有して成ることを特徴とする。
【０００９】
また、本発明の請求項３に係る商品通路部材は、上記請求項１または上記請求項２において、前記潤滑皮膜材は、クロム酸化合物、含硫黄有機化合物および含窒素有機化合物の少なくとも１種以上を防錆成分として含有して成ることを特徴とする。
【００１０】
また、本発明の請求項４に係る商品通路部材は、上記請求項１〜３のいずれか一つにおいて、前記基材と前記潤滑皮膜材との間に、クロメート処理層、リン酸塩処理層およびシランカップリング剤処理層の少なくとも１種以上を密着性処理層として形成したことを特徴とする。
【００１１】
また、本発明の請求項５に係る商品通路部材は、上記請求項１〜５のいずれか一つにおいて、前記基材が亜鉛系めっき鋼板から成るものであり、かつ、潤滑皮膜材の厚みが１μｍ以上１０μｍ以下であることを特徴とする。
【００１２】
また、本発明の請求項６に係る自動販売機は、上記請求項１〜５のいずれか一つに記載の商品通路部材を用いて、機内の商品通路の全部、あるいは一部を構成したことを特徴とする。
【発明の効果】
【００１３】
本発明の請求項１に記載の発明によれば、潤滑性を有する潤滑皮膜材が、ウレタン系樹脂、アクリル系樹脂、オレフィン系樹脂およびポリエステル系樹脂の少なくとも１種以上を主成分として形成したものであるので、滑り性および耐久性を良好なものに保持しながら、製造コストの低減化を図ることができるという効果を奏する。
【００１４】
また、本発明の請求項２に記載の発明によれば、潤滑皮膜材が、ポリオレフィン系ワックス、フッ素系ワックス、金属石鹸系ワックスおよび無機系ワックスの少なくとも１種以上を潤滑成分として含有して成るので、滑り性をさらに向上させることができるという効果を奏する。
【００１５】
また、本発明の請求項３に記載の発明によれば、潤滑皮膜材が、クロム酸化合物、含硫黄有機化合物および含窒素有機化合物の少なくとも１種以上を防錆成分として含有して成るので、基材である鋼板が錆びることを防止することができるという効果を奏する。
【００１６】
また、本発明の請求項４に記載の発明によれば、基材と潤滑皮膜材との間に、クロメート処理層、リン酸塩処理層およびシランカップリング剤処理層の少なくとも１種以上を密着性処理層として形成したので、潤滑皮膜材の密着性を向上させることができるという効果を奏する。
【００１７】
また、本発明の請求項５に記載の発明によれば、基材が亜鉛系めっき鋼板から成るものであり、かつ、潤滑皮膜材の厚みが１μｍ以上１０μｍ以下であるので、滑り性および耐久性を良好なものに保持しながら、製造コストの低減化を図ることができるという効果を奏する。
【００１８】
また、本発明の請求項６に記載の発明によれば、機内の商品通路の全部、あるいは一部を、上記請求項１〜５のいずれか一つに記載の商品通路部材により構成してあるので、滑り性および耐久性を良好なものに保持しながら、製造コストの低減化を図ることができるという効果を奏する。
【発明を実施するための最良の形態】
【００１９】
以下に添付図面を参照して、本発明に係る商品通路部材および自動販売機の好適な実施の形態について詳細に説明する。尚、以下においては、説明の便宜上、商品通路部材は、自動販売機の商品通路を構成するものとして説明する。
【００２０】
図１〜図３は、それぞれ本発明の実施の形態に係る自動販売機の構成を示したものである。この自動販売機は、缶入り飲料やペットボトル入り飲料等の商品を販売するためのもので、自動販売機本体としての本体キャビネット１を備えている。
【００２１】
本体キャビネット１は、前面が開口した直方状の断熱筐体として形成されたものである。この本体キャビネット１の内部には、複数の独立した商品収容庫２ａ，２ｂ，２ｃが左右に並設してある。これら商品収容庫２ａ，２ｂ，２ｃは、缶入り飲料やペットボトル入り飲料等の商品を所望の温度に維持した状態で収容するためのものである。各商品収容庫２ａ，２ｂ，２ｃには、それぞれの上方部に、商品投入部３ａ，３ｂ，３ｃを通じて投入された商品を収納るための商品収納ラック１８が配設してある一方、搬出シュータ４によって区画される下方部に、熱交換器（図示せず）が配設してあり、該熱交換器の駆動により、商品収納ラック１８に収納された飲料缶やペットボトルを所望の冷却温度、あるいは加熱温度に維持することが可能である。
【００２２】
上記自動販売機には、本体キャビネット１の一側縁部に扉体５を設けてある。扉体５は、本体キャビネット１の前面開口を開閉するためのもので、内扉５ａ、中扉５ｂおよび外扉５ｃを備えて構成してある。内扉５ａは、本体キャビネット１に設けた商品収容庫２ａ，２ｂ，２ｃの前面を覆うに充分な大きさを有したものである。図示の例では、内扉５ａを上下に分割し、それぞれを個別に開閉できるようにしてある。
【００２３】
中扉５ｂは、内扉５ａの前面側に配設したものである。この中扉５ｂには、その前面側上部に販売商品のサンプル（以下、商品サンプルともいう）Ｓを左右に並べて一列に載置した商品サンプルステージ６が上下方向に複数段（図示の例では３段）に並べて配設してある。また、中扉５ｂには、その前面側下部に電照板７が配設してある。
【００２４】
外扉５ｃは、本体キャビネット１の前面開口を覆うに充分な大きさを有したものである。この外扉５ｃには、その前面側にディスプレイウィンドウ８、商品選択ボタン９、硬貨投入口１０、紙幣挿入口１１、一体表示器１２、硬貨返却口１３、商品取出口１４が設けてある。一方、外扉５ｃの後面側には、硬貨処理機１５、硬貨回収箱１６、紙幣処理機１７が設けてある。
【００２５】
ディスプレイウィンドウ８は、中扉５ｂに配置した商品サンプルＳ（商品サンプルステージ６）および電照板７を利用者に視認させるための窓である。商品選択ボタン９は、利用者が購入商品を選択するための押ボタンスイッチであり、ディスプレイウィンドウ８を通じて視認される商品サンプルＳ毎に用意してある。硬貨投入口１０は、利用者が硬貨を投入するための開口である。この硬貨投入口１０を通じて投入された硬貨は、硬貨処理機１５においてその金種が識別され、その後、硬貨回収箱１６に収容されることになる。紙幣挿入口１１は、利用者が紙幣を挿入するための開口である。この紙幣挿入口１１を通じて挿入された紙幣は、紙幣処理機１７においてその金種が識別されることになる。また上記紙幣挿入口１１は、紙幣処理機１７において識別できなかった紙幣を返却するための機能を有している。一体表示器１２は、貨幣の投入金額、販売中であるか否か、釣銭があるか否か等、各種情報を利用者に表示するためのものである。硬貨返却口１３は、硬貨処理機１５において識別できなかった硬貨、あるいは釣銭となる硬貨を利用者に返却するための開口である。商品取出口１４は、商品収納ラック１８から払い出された商品を利用者が受け取るための開口である。
【００２６】
以上のような自動販売機においては、商品投入部３ａ，３ｂ，３ｃから投入された商品は、商品収納ラック１８に収納されて所望の温度状態にされ、利用者が商品を選択することにより払い出され、搬出シュータ４を通じて商品取出口１４に至る。つまり、商品投入部３ａ，３ｂ，３ｃ、商品収納ラック１８および搬出シュータ４は、機内における商品通路を形成している。このような商品通路を形成する商品投入部３ａ，３ｂ，３ｃ、商品収納ラック１８および搬出シュータ４は、それぞれ次のような商品通路部材２０を加工して構成してある。
【００２７】
商品通路部材２０は、図４に示したように、基材２１と潤滑皮膜材２３とを備えて構成してある。基材２１としては、鋼板、特に溶融亜鉛めっき鋼板等の亜鉛系めっき鋼板が用いている。この溶融亜鉛めっき鋼板は、例えば引張り強さが２７０Ｎ／ｍｍ2以上であり、伸びは、０．４ｍｍ以上０．６ｍｍ未満の板厚の場合には３４％以上、０．６ｍｍ以上１．０ｍｍ未満の板厚の場合には３６％以上、１．０ｍｍ以上１．６ｍｍ未満の板厚の場合には３７％以上のものである。また、亜鉛のめっき付着量は、例えば鋼板の両面とも４０ｇ／ｍ2であり、潤滑皮膜材２３で被覆される側のめっき相当厚さは０．０１６ｍｍである。
【００２８】
潤滑皮膜材２３は、基材２１の表面、すなわち商品と接触する側の面を被覆するものであり、ウレタン系樹脂、アクリル系樹脂、オレフィン系樹脂およびポリエステル系樹脂等の少なくとも１種以上を主成分とするものであるが、本実施の形態では、ポリエステル系ウレタン樹脂を主成分として形成してある。この潤滑皮膜材２３の厚みは、１μｍ以上１０μｍ以下であることが好ましい。これにより、後述する潤滑皮膜材２３の滑り性および耐久性を良好なものとすることができる。
【００２９】
また、潤滑皮膜材２３は、潤滑成分であるワックスを含有している。ここに、潤滑成分であるワックスとしては、ポリオレフィン系ワックス、フッ素系ワックス、金属石鹸系ワックスおよび無機系ワックス、並びにこれらの混合物を用いている。
【００３０】
上記基材２１と上記潤滑皮膜材２３との間には、両者の密着性を向上させるための密着性処理層２２が形成してある。この密着性処理層２２としては、クロメート処理層、リン酸塩処理層およびシランカップリング剤処理層等があるが、本実施の形態では、クロメート処理層が密着性処理層２２として形成してある。このクロメート処理層は、基材２１である溶融亜鉛めっき鋼板の両面をクロメート処理することによって得られる。従って、クロメート処理層は、基材２１と潤滑皮膜材２３との間だけではなく、基材２１の裏面を被覆する態様で形成してある。
【００３１】
このように密着性処理層２２を形成することにより、潤滑皮膜材２３の密着性処理層２２に対する密着性は、碁盤目試験（１ｍｍ×１ｍｍ、１００）において１００／１００の基準を充たす。また、潤滑皮膜材２３の鉛筆硬度は、ＪＩＳ  Ｋ  ５４００  ８．４．２に準拠したすり傷評価において、Ｈ以上で、目視で傷がないという基準を充たし、潤滑皮膜材２３の耐衝撃性は、ＪＩＳ  Ｋ  ５４００  ８．３．２に準拠したデュポン式衝撃試験（１／２インチ×１ｋｇ×５００ｍｍ）において、皮膜に割れや剥がれがないという基準を充たす。更に、潤滑皮膜材２３の折り曲げ性は、３Ｔ曲げのセロハンテープ剥離において、剥離がないという基準を充たす。これらの試験および評価等を実施する際には、試験片を例えばメチルバイオレット・アセトン溶液に浸漬して潤滑皮膜材２３を染色し、該潤滑皮膜材２３の損傷を確認する。
【００３２】
以上のように自動販売機においては、商品通路部材２０は、潤滑皮膜材２３がウレタン系樹脂、アクリル系樹脂、オレフィン系樹脂およびポリエステル系樹脂の少なくとも１種以上を主成分として形成されたものであるので、該潤滑皮膜材２３の鉛筆硬度や耐衝撃性を良好なものとすることができ、滑り性および耐久性を良好なものに保持することができる。また、これらの樹脂は、フッ素樹脂に比して安価であるから、製造コストの低減化を図ることができる。従って、自動販売機全体における製造コストの低減化を図ることができる。
【００３３】
上記商品通路部材２０によれば、潤滑皮膜材２３が潤滑成分である各種ワックスを含有してなるので、滑り性をさらに向上させることができる。
【００３４】
以上、本発明の好適な実施の形態について説明したが、本発明はこれに限定されず種々の変更を行うことができる。例えば、潤滑皮膜材は、クロム酸化合物、含硫黄有機化合物および含窒素有機化合物の少なくとも１種以上を防錆成分として含有して成るものであっても良い。このような防錆成分を含有して成ることにより、基材である鋼板が錆びてしまうことを防止することができる。
【図面の簡単な説明】
【００３５】
【図１】本発明の実施の形態に係る自動販売機を示した正面図である。
【図２】図１に示した自動販売機において外扉を開成した状態を示した斜視図である。
【図３】図１に示した自動販売機において扉体を開成した状態を示した斜視図である。
【図４】図１に示した自動販売機に適用された商品通路部材の構成を示した拡大断面図である。
【符号の説明】
【００３６】
１      本体キャビネット
２ａ，２ｂ，２ｃ    商品収容庫
３ａ，３ｂ，３ｃ    商品投入部
４      搬出シュータ
５      扉体
５ａ    内扉
５ｂ    中扉
５ｃ    外扉
６      商品サンプルステージ
７      電照板
８      ディスプレイウィンドウ
９      商品選択ボタン
１０    硬貨投入口
１１    紙幣挿入口
１２    一体表示器
１３    硬貨返却口
１４    商品取出口
１５    硬貨処理機
１６    硬貨回収箱
１７    紙幣処理機
１８    商品収納ラック
２０    商品通路部材
２１    基材
２２    密着性処理層
２３    潤滑皮膜材
Ｓ      商品サンプル
【図１】
2005309825.tif 000003
【図２】
2005309825.tif 000004
【図３】
2005309825.tif 000005
【図４】
2005309825.tif 000006